(57)【特許請求の範囲】
【請求項１】
予め定められた複数の工程作業に用いられる複数の商品の情報を表示する電子カタログシステムであって、
前記商品の１つずつに対し、この商品説明として用意された１つ以上のテキスト情報と１つ以上の画像情報とからなる商品情報群を含む商品情報データを備え、
Ｗｅｂブラウザが実行可能なパーソナルコンピュータ又はサーバで、ハードディスク上又はＣＤ−ＲＯＭとハードディスク上に、前記画像情報とこの画像情報を表示文書画面に取り込んでテキスト情報を表示する多数のＨＴＭＬファイルの全部又は一部をインストールした上で、前記パーソナルコンピュータ又はサーバで、プログラムによりＷｅｂブラウザ表示を実行させる電子カタログシステムにおいて、
これら商品情報データの個々の商品の商品情報群のうち、代表される１つのテキスト情報と１つの画像情報とを、Ｗｅｂブラウザにカタログ画面として、予め定められた複数の工程作業における使用順にスクロール可能に並べて表示させるハイパーテキスト文書制御情報を含み、
前記カタログ画面には、前記代表される１つのテキスト情報及び１つの画像情報がスクロール可能に並べて表示された１つの商品について、当該商品の商品情報群のうち表示されていないテキスト情報及び／又は画像情報を表示するカタログ詳細画面へリンクする制御情報が配設されており、
前記カタログ画面又はカタログ詳細画面に表示された商品毎に購入希望商品をチェックするチェックポイントが表示され、
前記ハイパーテキスト文書制御情報には、前記チェックされた購入希望商品の代表される１つのテキスト情報及び１つの画像情報をリストアップし、購入希望者データ記入欄と共に、ファクシミリ用書式ファイルとしてＷｅｂブラウザ上に表示する制御情報を含み、
前記ファクシミリ用書式ファイルは、リストアップされた購入希商品と、購入希望者データと、注文先と、購入条件とが含まれ、
前記購入希望商品として、テキスト情報及び画像情報が表示されることを特徴とする電子カタログシステム。
【請求項２】
前記ハイパーテキスト文書制御情報には、Ｗｅｂブラウザ上に、前記カタログ画面の他に前記複数の工程作業を行う作業名が複数表示されるインデックス画面を更に表示させる制御情報を含み、
該インデックス画面の制御情報には、該当する工程作業の内容と各工程作業で用いる商品名とが表示されるインデックス詳細画面を表示させる制御情報を含み、
前記インデックス画面には、前記インデックス詳細画面に切り替えると共に前記カタログ画面に切り替える制御情報が、前記作業名毎に配設されていることを特徴とする請求項１に記載された電子カタログシステム。
【請求項３】
前記インデックス詳細画面には、前記カタログ画面を該当商品が予め定められた位置に画面を表示する制御情報が含まれていることを特徴とする請求項２に記載の電子カタログシステム。
【発明の詳細な説明】
【０００１】
【発明の属する技術分野】
本発明は例えばＣＤ−ＲＯＭ等の情報媒体を用いて配布され、情報媒体のままかパソコンのハードディスク上にインストールして使用する電子カタログシステムに関するものである。
【０００２】
【従来の技術】
従来より、商品カタログは、商品の内容等により大分類及び小分類ににまとめられ、この分類に沿って商品説明の頁が掲載されている。商品の検索には、商品の内容に対するカタログの分類を把握して該当する分類の項目を検索するか、商品名を５０音順インデックスで検索するか、商品番号一覧で検索するかなどしかなかった。
【０００３】
これは、ＣＤ−ＲＯＭ等の情報媒体を用いて配布され、情報媒体のままかパソコンのハードディスク上にインストールして使用する電子カタログシステムにおいても、同様の構成になされており、単なる商品情報の羅列にしか過ぎないものが大多数である。
【０００４】
一方、近年インターネット環境が充実してきたために、ＣＤ−ＲＯＭやインターネット配信による電子カタログを用いたオンラインショッピングが盛んになっている。しかしながら、例えば建築施工業界等のように関連する商品が、特定の使用者に限られ、また、全国に存在する代理店を介して使用者に届けられる商品を取り扱う業界では、オンラインでの商品の発注は不向きであった。
【０００５】
何故なら、代理店がオンラインでの発注を受けた場合に、常にある程度の在庫を有しておかなければならず、また、在庫のない場合には、製造元に代理店自身が商品を発注しなければならないからである。更に、代理店の依頼で製造元から直接使用者へ商品を発送した場合には、使用者は代理店からではなく、製造元から直接商品を受け取ることとなり、商品の購入に伴う支払いが代理店に対して行うのか、製造元に対して行うのかを混同する自体が想定されるからである。また、製造元がオンラインでの発注を受けた場合には、代理店の介在は行われず、代理店自体の存在意義がなくなってしまう自体となるからである。
【０００６】
【発明が解決しようとする課題】
本発明は、例えば建築施工に関する商品を紹介するカタログ等のように、予め定められた工程作業からなる作業で用いる多数の商品の情報を表示する電子カタログシステムにおいて、目的の商品を判り易く、素早く検索することができる電子カタログシステムを得ることを目的とし、特定の使用者に限られ、代理店を介して使用者に届けられる商品において、商品の発注・発送・支払いに関するトラブルが少ない発注を可能とする電子カタログシステムを得ることを目的とする。また、目的の商品がどのような工程で必要となるかを認識することができ、関連する商品を素早く検索することのできる電子カタログシステムを得ることを別の目的とする。
【０００７】
【課題を解決するための手段】
請求項１に記載された発明に係る電子カタログシステムは、予め定められた複数の工程作業に用いられる複数の商品の情報を表示する電子カタログシステムであって、
前記商品の１つずつに対し、この商品説明として用意された１つ以上のテキスト情報と１つ以上の画像情報とからなる商品情報群を含む商品情報データを備え、
Ｗｅｂブラウザが実行可能なパーソナルコンピュータ又はサーバで、ハードディスク上又はＣＤ−ＲＯＭとハードディスク上に、前記画像情報とこの画像情報を表示文書画面に取り込んでテキスト情報を表示する多数のＨＴＭＬファイルの全部又は一部をインストールした上で、前記パーソナルコンピュータ又はサーバで、プログラムによりＷｅｂブラウザ表示を実行させる電子カタログシステムにおいて、
これら商品情報データの個々の商品の商品情報群のうち、代表される１つのテキスト情報と１つの画像情報とを、Ｗｅｂブラウザにカタログ画面として、予め定められた複数の工程作業における使用順にスクロール可能に並べて表示させるハイパーテキスト文書制御情報を含み、
前記カタログ画面には、前記代表される１つのテキスト情報及び１つの画像情報がスクロール可能に並べて表示された１つの商品について、当該商品の商品情報群のうち表示されていないテキスト情報及び／又は画像情報を表示するカタログ詳細画面へリンクする制御情報が配設されており、
前記カタログ画面又はカタログ詳細画面に表示された商品毎に購入希望商品をチェックするチェックポイントが表示され、
前記ハイパーテキスト文書制御情報には、前記チェックされた購入希望商品の代表される１つのテキスト情報及び１つの画像情報をリストアップし、購入希望者データ記入欄と共に、ファクシミリ用書式ファイルとしてＷｅｂブラウザ上に表示する制御情報を含み、
前記ファクシミリ用書式ファイルは、リストアップされた購入希商品と、購入希望者データと、注文先と、購入条件とが含まれ、
前記購入希望商品として、テキスト情報及び画像情報が表示されるものである。
【０００９】
請求項２に記載された発明に係る電子カタログシステムは、請求項１に記載のハイパーテキスト文書制御情報には、Ｗｅｂブラウザ上に、前記カタログ画面の他に前記複数の工程作業を行う作業名が複数表示されるインデックス画面を更に表示させる制御情報を含み、
該インデックス画面の制御情報には、該当する工程作業の内容と各工程作業で用いる商品名とが表示されるインデックス詳細画面を表示させる制御情報を含み、
前記インデックス画面には、前記インデックス詳細画面に切り替えると共に前記カタログ画面に切り替える制御情報が、前記作業名毎に配設されているものである。
【００１０】
請求項３に記載された発明に係る電子カタログシステムは、請求項２に記載のインデックス詳細画面には、前記カタログ画面を該当商品が予め定められた位置に画面を表示する制御情報が含まれているものである。
【００１３】
【発明の実施の形態】
本発明においては、予め定められた複数の工程作業で用いられる複数の商品情報データの個々の商品の商品情報群のうち代表される１つのテキスト情報と１つの画像情報とを、Ｗｅｂブラウザにカタログ画面として、予め定められた複数の工程作業における使用順にスクロール可能に並べて表示させるハイパーテキスト文書制御情報を含むため、予め定められた工程作業で用いられる複数の商品の情報を表示する電子カタログシステムにおいて、目的の商品を判り易く、素早く検索することができる。
【００１４】
即ち、本発明の電子カタログシステムにおいては、特定の工程作業で必要な商品を検索する際に、目的の商品を工程作業に応じて検索することができる。しかも、予め定められた複数の工程作業における使用順にスクロール可能に並べて表示されているため、例えば表示画面のスクロールバーのドラッグや、矢印キー、ページダウンキーやスクロールマウスのスクロールボタン等で順次スクロールさせて検索することができる。
【００１５】
本発明のカタログ画面は、予め定められた複数の工程作業における使用順にスクロール可能に並べて表示させられればよく、スクロールは横スクロール又は縦スクロールの何れでもよいが、多くのＷｅｂブラウザで採用されている縦スクロールが主となる。また、商品数が多く、カタログ画面があまりにも長大になる場合には、カタログ画面を複数としてもよい。尚、この場合には、他のカタログ画面にリンクするためのタグを画面の最初と最後に埋め込んで速やかなリンクを可能とする。
【００１６】
カタログ画面には、好ましくは、代表される１つのテキスト情報及び１つの画像情報がスクロール可能に並べて表示された１つの商品について、当該商品の商品情報群のうち表示されていないテキスト情報及び／又は画像情報を表示するカタログ詳細画面へリンクするタグが埋め込まれる。これにより、操作者は希望する商品の詳しい情報をクリック１つで参照することができる。
【００１７】
本発明のカタログ詳細画面としては、当該商品のカタログ画面に表示されていないテキスト情報及び／又は画像情報を表示するものであればよく、商品毎に表示画面を個別にしてもよいし、カタログ画面のように１つ以上のテキスト情報及び１つ以上の画像情報を予め定められた複数の工程作業における使用順にスクロール可能に並べて表示させてもよい。また、カタログ詳細画面についても、更に詳しい商品説明を行うために、より詳しい別の詳細画面へリンクするタグを埋め込んでもよい。
【００１８】
本発明のハイパーテキスト文書制御情報の好ましい態様としては、Ｗｅｂブラウザ上に、カタログ画面の他に複数の工程作業を行う作業名が複数表示されるインデックス画面を更に表示させる制御情報を含み、このインデックス画面の制御情報には、該当する工程作業の内容と各工程作業で用いる商品名とが表示されるインデックス詳細画面を表示させる制御情報を含み、このインデックス画面には、インデックス詳細画面に切り替えると共にカタログ画面に切り替える制御情報が、前記作業名毎に配設されている。これにより、目的の商品がどのような工程で必要となるかを認識することができ、関連する商品を素早く検索することができる。
【００１９】
即ち、例えば、Ｗｅｂブラウザ上でフレームによってカタログ画面とインデックス画面とを区切り、インデックス画面上に表示された複数の作業名の見出しをクリックすることにより、カタログ画面が該当する作業名の工程作業のカタログ画面を表示すると共に、インデックス画面が該当する作業名の工程作業の内容と各工程作業で用いる商品名とが表示されるインデックス詳細画面に切り替わる。
【００２０】
また、好ましくは、インデックス詳細画面には、カタログ画面を該当商品が表示される画面の予め定められた位置に画面を表示するタグが埋め込まれる。これにより、目的の商品を判り易く、より素早く検索することができる。また、画面をスクロールすることにより、網膜に映像が残存し、識別がし易い利点もある。
【００２１】
本発明の電子カタログシステムの好ましい態様としては、カタログ画面又はカタログ詳細画面に表示された商品毎に購入希望商品をチェックするチェックポイントが表示され、このハイパーテキスト文書制御情報には、チェックされた購入希望商品の代表される１つのテキスト情報及び１つの画像情報をリストアップし、購入希望者データ記入欄と共に、ファクシミリ用書式としてＷｅｂブラウザ上に表示する制御情報を含む。このため、特定の使用者に限られ、代理店を介して使用者に届けられる商品において、商品の発注・発送・支払いに関するトラブルが少ない発注が可能となる。
【００２２】
即ち、チェックされた購入希望商品をリストアップして、例えば、予め入力された購入希望者データと共に、ファクシミリ用書式ファイルとしてＷｅｂブラウザ上に表示する制御情報を含むことにより、使用者にとっては注文する商品がリストアップされ、これを印刷して代理店に送信するため、発注ミスが少なく、ファクシミリ送信した原稿は手元に残るため、重複して発注したりするミスが未然に防げる。代理店にとっては、受信されたファクシミリ用紙は同一の電子カタログシステムで印刷された定型の注文書であるため、商品の誤認を極力防ぐことができる。また、代理店に在庫のない場合には、製造元にこのファクシミリ用紙を送信することにより、代理店の名前で使用者に発送することも間違いなく行うことができる。
【００２３】
本発明のファクシミリ用書式ファイルとしては、チェックされた購入希望商品をリストアップし、購入希望者データ記入欄と共にＷｅｂブラウザ上に表示されればよく、例えば、購入希望商品の代表される１つのテキスト情報（例えば、商品番号、商品名）及び１つの画像情報（例えば、代表写真）が表状に表示され、その後に、予め入力された購入希望者データを表示されればよく、これをＷｅｂブラウザの印刷機能等によって、好ましくは、購入希望商品、購入希望者データ、注文先、購入条件をファクシミリ用出力書式として印刷すればよい。
【００２４】
尚、チェックされた購入希望商品をリストアップするには、Ｗｅｂブラウザ上で実行されるＪＡＶＡスクリプト等のプログラムを利用して行えばよい。この際に、好ましくは、購入希望商品の個々の価格を合計したり、この消費税を計算し、合計したりしてもよい。また、購入希望者データ記入欄は、印刷される前に記入してもよく、また、一度入力するとその入力情報が記憶されるようにしておけば、２度目の注文の際に再入力の必要がなくなる。
【００２５】
また、ファクシミリ用書式の好ましい態様としては、ファクシミリ用書式にリストアップされた購入希望商品が予め定められた複数の工程作業における使用順に並べて表示されるため、発注する際に、実際の工程作業に照らし合わせて商品を確認することができるため、発注ミスが少なくなる。また、印刷される又は印刷された書式を保存することにより代理店、使用者が納品確認を容易に正確に行える利点もある。
【００２６】
【実施例】
本発明の電子カタログシステムは、多数の画像ファイルと、この画像ファイルを表示文書画面に取り込んで情報テキストを表示する多数のＨＴＭＬファイルと、Ｗｅｂブラウザ上で実行される幾つかのアプリケーションファイルとからなる。本電子カタログシステムは、Ｗｅｂブラウザが実行可能なパーソナルコンピュータ、サーバ等でハードディスク上又はＣＤ−ＲＯＭとハードディスク上に前記ファイルの全部又は一部をインストールした上で実行される。
【００２７】
図１は本発明の電子カタログシステムの一実施例の導入ページ画面の構成を示す説明図である。図に示す通り、Ｗｅｂブラウザ上で本電子カタログシステムの導入ファイルを表示させると、縦フレーム１２によって２つに分割された表示画面１０が現れる。
【００２８】
表示画面１０について、左の画面はインデックス画面領域１１であり、この領域１１には、本電子カタログシステムでの「アイコンの説明」「五十音順索引」「商品番号一覧」「商品検索」「新商品」「注文書確認／印刷」の見出し１４以外に、「クロス施工」作業、「襖・表装施工」作業、「床施工」作業、「カーテン取付け施工」作業、「建築関連施工」作業に分類された各作業名と「汎用品」「ソフトウエア」を付した見出し１４が表示されたインデックス画面２１が表示されている。また、右の画面はカタログ画面領域１５であり、導入ページ画面１７が表示されている。この導入ページ画面１７では、本カタログの紹介文（不図示）と「次ページ」と記載された見出し１９が表示されている。
【００２９】
図２はカタログ画面が表示された状態を示す説明図である。即ち、図１でのインデックス画面２１中の「クロス施工」を付した作業見出し１３をクリックした後に、インデックス画面２１がインデックス詳細画面３１に切り替わり、導入ページ画面１７がカタログ画面２５に切り替わった状態を示す。
【００３０】
即ち、インデックス画面２１中の「アイコンの説明」「五十音順索引」「商品番号一覧」「商品検索」「新商品」「注文書確認／印刷」の見出し１４をクリックすると右のカタログ画面領域１２に各々該当するページへと切り替わって表示される。また、「クロス施工」「襖・表装施工」「床施工」「カーテン取付け施工」「建築関連施工」及び「汎用品」「ソフトウエア」を付した作業見出し１３には、該当する作業の各工程作業名２３とこの作業で使用する個別商品の見出し商品名２４とが表示されるインデックス詳細画面に切り替わると共に導入ページ画面１７がカタログ画面２５に切り替わる制御情報としてタグが埋め込まれている。
【００３１】
このインデックス詳細画面３１は、スクロールバー２２をドロップして上下すること等により縦スクロールして、逐次商品を参照できるように縦方向に該当する作業の各工程作業名２３とこの作業で使用する個別商品の見出し商品名２４とが箇条書きに表示されている。詳しくは、「クロス施工」と付した作業見出し１３をクリックするとこの作業見出し１３の下方に「糊付機」「足場」「運搬」「収納」「保護」「電源」…のように、各工程作業名２３が表示され、各々の工程作業名２３の下方には「自動糊付機」を始めとした見出し商品名２４が表示されたインデックス詳細画面３１に切り替わる。
【００３２】
また、カタログ画面２５は、スクロールバー２６をドロップして上下すること等により、縦スクロールすることにより、逐次商品を参照できるように縦方向に情報を並べた表２７が表示されている。表示項目は「品番」「商品名」「サイズ」「価格」及び該当する商品の詳しい説明が記載されたカタログ詳細画面３５に切り替わるタグが埋め込まれた「ページ」と、該当する商品の代表される１つの写真２８が表示された「リンク」であり、この写真をクリックしても該当する商品の詳しい説明が記載されたカタログ詳細画面３５に切り替わるように制御情報としてのタグが埋め込まれている。尚、表示項目については、該当する商品の代表される１つのテキスト情報と１つの画像情報とがあればよい。
【００３３】
このインデックス詳細画面３１に対してカタログ画面２５はリンクしている。即ち、工程作業名２３又は個別商品の見出し商品名２４をクリックすることにより、表２７の該当する商品説明の欄が連動して表示される。
【００３４】
図３はインデックス詳細画面のクリックに応じてカタログ画面がスクロール移動した状態を示す説明図である。即ち、図２において、インデックス詳細画面３１をスクロールして希望する工程作業名２３又は個別商品の見出し商品名２４をクリックすると、該当する商品がカタログ画面の先頭位置になるように画面を表示する制御情報としてのタグが、工程作業名２３又は個別商品の見出し商品名２４と表２７の該当する商品説明の欄に配設されている。
【００３５】
図４は図２又は図３の画面からカタログ詳細画面が表示された状態を示す説明図である。図２又は図３に示されたカタログ画面２５には、「ページ」欄に表示されたページ数２９と、「リンク」欄に表示された写真２８とには、該当する商品の詳しい説明が記載されたカタログ詳細画面３５に切り替わるように制御情報としてのタグが埋め込まれている。図４はページ数２９又は写真２８をクリックした後に切り替わった状態を示している。
【００３６】
このカタログ詳細画面３５は、縦方向に幾つかの区切られた説明欄３２が表示され、個々の欄３２には、商品の概要を示す写真３３と、その右側に商品の見出し名と商品名と商品の説明が記載された各商品説明欄３４が表示され、写真３３と各欄３４との下方には、カタログ画面２５で表示された商品の表示項目（「品番」「商品名」「サイズ」「価格」）の他に「備考」「発注」欄を追加した商品項目欄３６が記載されている。
【００３７】
個々の説明欄３２は、カタログ画面２５で表示された順に並べられており、縦スクロールによって工程作業における使用順に参照することができる。尚、別の態様として、カタログ詳細画面３５は、対応する商品を一つの表示画面（ページ）として、個別にしてもよい。また、順に並べられた場合であっても、商品の説明で不足すると思われる商品については、より詳しい別の詳細画面を用意しておき、商品の説明の文章中にこのより詳しい詳細画面へリンクする制御情報としてのタグを埋め込んでもよい。
【００３８】
カタログ詳細画面３５の説明欄３２の商品項目欄３６の各々には、購入希望商品をチェックするチェックポイントとして「発注」欄に「注文」の見出しを付したボタン３７が表示されている。このボタン３７は、本電子カタログを参照しつつ購入を希望する商品であった場合に、チェックすることにより、後述する注文書にチェックされた購入希望商品のテキスト情報及び１つの画像情報をリストアップする。
【００３９】
図５はチェックされた購入希望商品のリストアップ欄と購入希望者データ記入欄とが表示された注文書確認画面の説明図である。図に示す通り、購入を希望するチェックを行った後に、インデックス画面又はインデックス詳細画面上で、「注文書確認／印刷」の見出し１４をクリックすると、カタログ画面領域１５が切り替わり、注文書確認画面５５が表示される。
【００４０】
注文書確認画面５５は横フレーム５２によって上下の画面領域に分けられている。上部領域５３は注文書入力完了の際等にデータ入力の確定を行う確定画面５１である。  確定画面５１には、「入力完了」「買い物を続ける」「商品データのみ削除」「すべて削除」の４つのクリック可能な確定ボタン５９を備える。また、下部領域５４はリストアップされた購入商品の情報が記載された購入商品欄５６と、購入希望者等のデータ記入を行うデータ記入欄５７とを備えた注文書画面５８である。
【００４１】
注文書画面５８の購入商品欄５６には、購入を希望した商品の「商品番号」「商品名」「サイズ」「荷姿」「カタログ価格」「数量」「取消」及び「商品確認」の項目が記載され、各々対応する商品についての情報が記載される。「取消」については、注文書確認の際に不要であると判断した際に、クリックするための取消ボタンが付されている。このボタンをクリックすると該当する商品情報のみが消去される。また、「商品確認」については該当商品の写真が表示される。購入希望商品の下方には、個々の商品の合計金額とこの金額にかかる消費税とそれら総合計金額が作表時に計算表示されている。
【００４２】
尚、リストアップされた購入希望商品は、該当する作業の複数の工程作業における使用順に並べて表示される。このため、発注する際に、実際の工程作業に照らし合わせて商品を確認することができるため、発注漏れや発注ミスが少なくなる利点もある。
【００４３】
注文の際には、注文書画面５８の購入商品欄５６の内容を購入希望者がチェックする。この際、商品確認のために写真が各々の商品に添付されているため、チェック漏れが少ない利点がある。尚、購入漏れがあった場合には、確定ボタン５９の「買い物を続ける」をクリックすることにより、購入希望商品及び入力済みのデータはそのままの状態で再度カタログ画面２５又はカタログ詳細画面３５に移行することができる。
【００４４】
データ記入欄５７の記入指示に沿って記入漏れの無いように記入した後で、確定ボタン５９の「入力完了」をクリックする。すると、Ｗｅｂブラウザが実行されるパーソナルコンピュータの印刷画面が現れ、印刷することができる。尚、本例では、確定ボタン５９の「すべてを削除」をクリックしない限り、入力されたデータは保存されるため、２度目の注文の際に再入力の必要がなくなる。
【００４５】
図６は印刷された注文書の説明図である。図に示す通り、注文書６０は図５で示した注文書画面５８の購入商品欄５６とデータ記入欄５７で記載したデータとが印刷される。特に、購入商品欄５６の写真６１が添付された状態で印刷されるため、この注文書６０を代理店にファクシミリ送信することにより、発注ミスが少ない。また、ファクシミリ送信した原稿は手元に残るため、重複して発注したりするミスが未然に防げる。代理店にとっては、受信されたファクシミリ用紙は同一の電子カタログシステムで印刷された定型の注文書であるため、商品の誤認を極力防ぐことができる。また、代理店に在庫のない場合には、製造元にこのファクシミリ用紙を送信することにより、代理店の名前で使用者に発送することも間違いなく行うことができる。また、印刷される又は印刷された書式を保存することにより代理店、使用者が納品確認を容易に正確に行える利点もある。
【００４６】
【発明の効果】
本発明は以上説明した通り、例えば建築施工に関する商品を紹介するカタログ等のように、予め定められた工程作業からなる作業で用いる多数の商品の情報を表示する電子カタログシステムにおいて、目的の商品を判り易く、素早く検索することができる電子カタログシステムを得ることができる。また、目的の商品がどのような工程で必要となるかを認識することができ、関連する商品を素早く検索することのできる電子カタログシステムを得ることができる。更に、特定の使用者に限られ、代理店を介して使用者に届けられる商品において、商品の発注・発送・支払いに関するトラブルが少ない発注を可能とする電子カタログシステムを得ることができるという効果がある。
【００４７】
【図面の簡単な説明】
【図１】本発明の電子カタログシステムの一実施例の導入ページ画面の構成を示す説明図である。
【図２】図１の導入ページ画面からカタログ画面が表示された状態を示す説明図である。
【図３】インデックス詳細画面のクリックに応じてカタログ画面がスクロール移動した状態を示す説明図である。
【図４】図２又は図３の画面からカタログ詳細画面が表示された状態を示す説明図である。
【図５】チェックされた購入希望商品のリストアップ欄と購入希望者データ記入欄とが表示された注文書確認画面の説明図である。
【図６】印刷された注文書の説明図である。
【符号の説明】
１０…表示画面、
１１…インデックス画面領域、
１２…縦フレーム、
１３…作業見出し、
１４…見出し、
１５…カタログ画面領域、
１７…導入ページ画面、
１９…見出し、
２１…インデックス画面、
２２…スクロールバー、
２３…各工程作業名、
２４…個別商品の見出し商品名、
２５…カタログ画面、
２６…スクロールバー、
２７…表、
２８…写真、
２９…ページ数、
３１…インデックス詳細画面、
３２…説明欄、
３３…商品写真、
３４…商品説明欄、
３５…カタログ詳細画面、
３６…商品項目欄、
３７…注文ボタン、
５１…確定画面、
５２…横フレーム、
５３…上部領域、
５４…下部領域、
５５…注文書確認画面、
５６…購入商品欄、
５７…データ記入欄、
５８…注文書画面、
５９…確定ボタン、
６０…注文書、
６１…商品写真、
【図１】
0004737736.tif 000002
【図２】
0004737736.tif 000003
【図３】
0004737736.tif 000004
【図４】
0004737736.tif 000005
【図５】
0004737736.tif 000006
【図６】
0004737736.tif 000007